(57)【要約】  ユーザの利便性をより向上させることを可能とするために、表示画面上の所定の領域に表示されたコンテンツ情報が所定の配列順に複数連ねられたコンテンツ情報群を生成するコンテンツ情報群生成部と、前記コンテンツ情報群を構成する前記コンテンツ情報のうち、更新された前記コンテンツ情報を検出する更新検出部と、前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させる表示制御部と、を備える情報処理装置を提供する。
2014192496.tif 000002
【特許請求の範囲】
【請求項１】
表示画面上の所定の領域に表示されたコンテンツ情報が所定の配列順に複数連ねられたコンテンツ情報群を生成するコンテンツ情報群生成部と、  前記コンテンツ情報群を構成する前記コンテンツ情報のうち、更新された前記コンテンツ情報を検出する更新検出部と、  前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させる表示制御部と、  を備える、情報処理装置。
【請求項２】
前記更新検出部は、前記コンテンツ情報群生成部によって前記コンテンツ情報群に新たに追加された前記コンテンツ情報を、更新された前記コンテンツ情報として検出する、  請求項１に記載の情報処理装置。
【請求項３】
前記更新検出部は、前記コンテンツ情報群を構成する前記コンテンツ情報の中で、前記表示制御部によって前記表示画面上に表示されていない前記コンテンツ情報を、更新された前記コンテンツ情報として検出する、  請求項１に記載の情報処理装置。
【請求項４】
前記インジケータは、  前記コンテンツ情報群の中で前記表示画面上に表示された前記コンテンツ情報に対応する部分である表示部分の前記コンテンツ情報群全体に対する位置関係を示す表示部分標示領域と、  前記更新部分の前記コンテンツ情報群全体に対する位置関係を示す更新部分標示領域と、  前記コンテンツ情報群の中で前記表示部分及び前記更新部分に含まれない前記コンテンツ情報に対応する部分である既読部分の前記コンテンツ情報群全体に対する位置関係を示す既読部分標示領域と、  が互いに異なる表示を有する、  請求項１に記載の情報処理装置。
【請求項５】
前記コンテンツ情報群の一部は、前記表示画面上における第１の方向に沿って前記配列順に従って表示され、  前記インジケータは、前記表示画面上において前記第１の方向に延伸する直線形状を有する、  請求項４に記載の情報処理装置。
【請求項６】
前記インジケータは、前記表示部分標示領域と、前記更新部分標示領域と、前記既読部分標示領域と、が互いに異なる色を有する、  請求項５に記載の情報処理装置。
【請求項７】
前記インジケータは、前記表示部分標示領域と、前記更新部分標示領域と、前記既読部分標示領域と、が互いに異なる形状を有する、  請求項５に記載の情報処理装置。
【請求項８】
前記インジケータの前記表示画面上での表示において、  前記表示部分標示領域は、前記コンテンツ情報群を構成する前記コンテンツ情報の総数に対する前記表示部分を構成する前記コンテンツ情報の数の割合を反映した大きさを有し、  前記更新部分標示領域は、前記コンテンツ情報群を構成する前記コンテンツ情報の総数に対する前記更新部分を構成する前記コンテンツ情報の数の割合を反映した大きさを有し、  前記既読部分標示領域は、前記コンテンツ情報群を構成する前記コンテンツ情報の総数に対する前記既読部分を構成する前記コンテンツ情報の数の割合を反映した大きさを有する、  請求項５に記載の情報処理装置。
【請求項９】
前記コンテンツ情報を取得するコンテンツ情報取得部、  を更に備え、  前記コンテンツ情報群生成部は、前記コンテンツ情報取得部によって取得されたコンテンツ情報に基づいて前記コンテンツ情報群を生成する、  請求項１に記載の情報処理装置。
【請求項１０】
前記コンテンツ情報群生成部は、前記コンテンツ情報取得部によって新たに取得されたコンテンツ情報を、既に生成された前記コンテンツ情報群に追加することにより、前記コンテンツ情報群を更新する、  請求項９に記載の情報処理装置。
【請求項１１】
前記コンテンツ情報群生成部は、前記コンテンツ情報取得部によって新たに取得されたコンテンツ情報によって、前記コンテンツ情報群を構成するコンテンツ情報の数を増加させることにより、前記コンテンツ情報群を更新する、  請求項１０に記載の情報処理装置。
【請求項１２】
前記コンテンツ情報群生成部は、前記コンテンツ情報取得部によって新たに取得されたコンテンツ情報によって、既に生成された前記コンテンツ情報群を構成する前記コンテンツ情報の内容を変更することにより、前記コンテンツ情報群を更新する、  請求項１０に記載の情報処理装置。
【請求項１３】
前記コンテンツ情報群における前記配列順は、前記コンテンツ情報取得部によって前記コンテンツ情報が取得された順に対応する順である、  請求項９に記載の情報処理装置。
【請求項１４】
前記コンテンツ情報取得部は、所定のタイミングで自動的に前記コンテンツ情報を取得する、  請求項９に記載の情報処理装置。
【請求項１５】
前記コンテンツ情報取得部は、ユーザによる所定の操作入力に応じたタイミングで前記コンテンツ情報を取得する、  請求項９に記載の情報処理装置。
【請求項１６】
前記コンテンツ情報群は前記表示画面上に、前記配列順に従って列状に配列されて表示される、  請求項１に記載の情報処理装置。
【請求項１７】
表示画面上の所定の領域に表示されたコンテンツ情報が所定の配列順に複数連ねられたコンテンツ情報群を生成することと、  前記コンテンツ情報群を構成する前記コンテンツ情報のうち、更新された前記コンテンツ情報を検出することと、  前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させることと、  を含む、更新情報通知方法。
【請求項１８】
コンピュータに、  表示画面上の所定の領域に表示されたコンテンツ情報が所定の配列順に複数連ねられたコンテンツ情報群を生成する機能と、  前記コンテンツ情報群を構成する前記コンテンツ情報のうち、更新された前記コンテンツ情報を検出する機能と、  前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させる機能と、  を実現させるためのプログラム。
【発明の詳細な説明】
【技術分野】
【０００１】  本開示は、情報処理装置、更新情報通知方法及びプログラムに関する。
【背景技術】
【０００２】  ＰＣ（Ｐｅｒｓｏｎａｌ  Ｃｏｍｐｕｔｅｒ）やスマートフォン、タブレットＰＣ等の情報処理装置において、複数の情報が所定の配列順を有して構成される情報群のうちの一部分のみを表示画面に表示する際に、当該情報群全体に対する表示画面に表示されている情報の位置関係を示すインジケータが表示画面に同時に表示されることが一般的である。例えば、特許文献１には、動画コンテンツの再生中において、当該動画コンテンツの再生時間の長さや、当該動画コンテンツのうちバッファに一時記憶されている領域、当該動画コンテンツの再生進度等を示すインジケータを、当該動画コンテンツと併せて表示画面に表示する技術が開示されている。
【先行技術文献】
【特許文献】
【０００３】
【特許文献１】特開２００７−２０６８０９号公報
【発明の概要】
【発明が解決しようとする課題】
【０００４】  一方、上記のような各種の情報処理装置を利用して、ニュースやＳＮＳ（Ｓｏｃｉａｌ  Ｎｅｔｗｏｒｋ  Ｓｅｒｖｉｃｅ）に関する情報等、多くの情報を取得し閲覧することが一般的になっている。このような多くの情報をユーザに対して提示する場合には、特許文献１に示す技術と同様、インジケータを利用した方法が提案されている。すなわち、複数の情報が所定の配列順に並べられた情報群を生成し、当該情報群全体のうちの一部分のみを表示画面に表示するとともに、配列化された情報群全体に対する表示されている情報の位置関係を示すインジケータが用いられている。【０００５】  しかしながら、特許文献１に示すような動画コンテンツとは異なり、ニュースや各種のＳＮＳ（Ｓｏｃｉａｌ  Ｎｅｔｗｏｒｋ  Ｓｅｒｖｉｃｅ）における情報は、速報性が重視される情報であり、頻繁に情報の更新が行われる。従って、上述したような配列化された情報群のうちの一部をユーザに対して提示する方法においては、配列化される情報群の構成（例えば、情報群を構成する情報の数や、各情報の内容等）が頻繁に更新される。そのため、情報更新後の表示画面を参照したユーザにとっては、配列化された情報群のうち、自身が既に参照した情報と更新によって追加されたためにまだ参照していない情報とを区別し難いという不便があった。【０００６】  上記事情に鑑みれば、ユーザが更新された情報をより直感的に把握できるようにすることにより、情報を参照する際のユーザの利便性をより向上させることが求められていた。そこで、本開示では、ユーザの利便性をより向上させることが可能な、新規かつ改良された情報処理装置、更新情報通知方法及びプログラムを提案する。
【課題を解決するための手段】
【０００７】  本開示によれば、表示画面上の所定の領域に表示されたコンテンツ情報が所定の配列順に複数連ねられたコンテンツ情報群を生成するコンテンツ情報群生成部と、前記コンテンツ情報群を構成する前記コンテンツ情報のうち、更新された前記コンテンツ情報を検出する更新検出部と、前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させる表示制御部と、を備える、情報処理装置が提供される。【０００８】  また、本開示によれば、表示画面上の所定の領域に表示されたコンテンツ情報が所定の配列順に複数連ねられたコンテンツ情報群を生成することと、前記コンテンツ情報群を構成する前記コンテンツ情報のうち、更新された前記コンテンツ情報を検出することと、前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させることと、を含む、更新情報通知方法が提供される。【０００９】  また、本開示によれば、コンピュータに、表示画面上の所定の領域に表示されたコンテンツ情報が所定の配列順に複数連ねられたコンテンツ情報群を生成する機能と、前記コンテンツ情報群を構成する前記コンテンツ情報のうち、更新された前記コンテンツ情報を検出する機能と、前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させる機能と、を実現させるためのプログラムが提供される。【００１０】  本開示によれば、コンテンツ情報群生成部によって表示画面上の所定の領域に表示されたコンテンツ情報が所定の配列順に複数連ねられたコンテンツ情報群が生成さる。また、更新検出部１３３によってコンテンツ情報群のうち更新されたコンテンツ情報が検出される。更に、表示制御部によって、当該コンテンツ情報群の一部が当該配列順に従って表示画面上に表示されるとともに、コンテンツ情報群の中で更新されたコンテンツ情報に対応する部分である更新部分のコンテンツ情報群全体に対する位置関係を少なくとも示すインジケータが表示画面上に表示される。従って、ユーザは、当該インジケータを参照することにより、コンテンツ情報群全体に対する更新部分の位置を素早く把握することができ、当該更新部分により素早くアクセスすることが可能となる。
【発明の効果】
【００１１】  以上説明したように本開示によれば、ユーザの利便性をより向上させることが可能となる。
【図面の簡単な説明】
【００１２】
【図１】一般的なコンテンツ情報群及びインジケータの表示の一例を示す概略図である。
【図２】本開示の一実施形態に係るコンテンツ情報群及びインジケータの表示の一例を示す概略図である。
【図３】本開示の一実施形態に係る情報処理装置の一構成例を示す機能ブロック図である。
【図４】本実施形態に係る更新情報通知処理の第１の具体例について説明するための説明図である。
【図５】本実施形態に係る更新情報通知処理の第２の具体例について説明するための説明図である。
【図６】本実施形態に係る更新情報通知処理の第３の具体例について説明するための説明図である。
【図７】本開示の一実施形態に係る更新情報通知方法の処理手順の一例を示すフロー図である。
【図８】本開示の一実施形態に係る情報処理装置のハードウェア構成を示す機能ブロック図である。
【発明を実施するための形態】
【００１３】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】  なお、説明は以下の順序で行うものとする。  １．更新情報通知処理の概要    １−１．一般的なコンテンツ情報群及びインジケータの表示    １−２．本実施形態に係る更新情報通知処理  ２．情報処理装置の構成  ３．更新情報通知処理の具体例    ３−１．第１の具体例    ３−２．第２の具体例    ３−３．第３の具体例  ４．更新情報通知方法の処理手順  ５．ハードウェア構成  ６．まとめ
【００１５】  ＜１．更新情報通知処理の概要＞  本開示の一実施形態においては、表示画面上の所定の領域に表示されたコンテンツ情報が所定の配列順に複数連ねられたコンテンツ情報群が生成され、当該コンテンツ情報群の一部が当該配列順に従って表示画面上に表示される。また、コンテンツ情報群の更新が検出され、コンテンツ情報群全体に対する当該更新されたコンテンツ情報の位置関係を少なくとも示すインジケータが、コンテンツ情報群の一部とともに表示画面に表示される。以下の説明では、上記の各処理を少なくとも含む本実施形態において行われる一連の処理のことを、更新情報通知処理と呼称する。
【００１６】  ここで、本実施形態においては、コンテンツは、各種の情報処理装置において処理され得るあらゆるコンテンツであってよく、例えば、ニュースコンテンツ（Ｎｅｗｓ  Ｃｏｎｔｅｎｔ）、画像コンテンツ（Ｉｍａｇｅ  Ｃｏｎｔｅｎｔ）、動画コンテンツ（Ｍｏｖｉｅ  Ｃｏｎｔｅｎｔ）及びＳＮＳコンテンツ（ＳＮＳ  Ｃｏｎｔｅｎｔ）等が含まれてよい。なお、ＳＮＳコンテンツには、例えば、当該ＳＮＳの利用者によって記載された（投稿された）コメントや日記等の情報が含まれる。
【００１７】  また、コンテンツ情報には、当該コンテンツに関する各種の情報が含まれてよく、例えば、当該コンテンツの概要（要約）や、当該コンテンツが更新（取得）された日時等の情報が含まれてよい。例えば、コンテンツがＳＮＳコンテンツであり、当該ＳＮＳにおいて記載されたコメントや日記等の情報を含む場合には、コンテンツ情報は、当該ＳＮＳの名称や、当該コメントや日記を記載した人物に関する情報（例えば、当該人物が所属するコミュニティやユーザとの関係等）を含んでもよい。また、コンテンツ情報には、当該コンテンツの内容そのものも含まれてもよい。
【００１８】  また、表示画面上の所定の領域に表示されたコンテンツ情報は、対応するコンテンツの概要を示す見出しの機能を有するものであると言える。本実施形態においては、コンテンツ情報として表示画面に表示される情報は、画像、文字、記号等あらゆる形式の情報が含まれてよい。
【００１９】  以下では、まず、［１−１．一般的なコンテンツ情報群及びインジケータの表示］で、本開示をより明確なものとするために、一般的なコンテンツ情報群及びインジケータの表示について説明する。次いで、［１−２．本実施形態に係る更新情報通知処理］で、本開示の一実施形態に係るコンテンツ情報群及びインジケータの表示について説明するとともに、本実施形態に係る更新情報通知処理の概要について説明する。
【００２０】  ［１−１．一般的なコンテンツ情報群及びインジケータの表示］  図１を参照して、一般的なコンテンツ情報群及びインジケータの表示の一例につて説明する。図１は、一般的なコンテンツ情報群及びインジケータの表示の一例を示す概略図である。
【００２１】  図１を参照すると、表示画面５１０上に、一般的なコンテンツ情報群５２０及び一般的なインジケータ５３０が表示されている。図１に示す例では、表示画面５１０が２つの領域に分割されており、一の領域にコンテンツ情報群５２０の少なくとも一部が表示され、他の領域にインジケータ５３０が表示されている。
【００２２】  コンテンツ情報群５２０は、複数のコンテンツ情報が所定の配列順に従って列状（リスト状）に並べられて構成される。図１に示す例では、コンテンツ情報群５２０を構成する複数のコンテンツ情報のうちの一部分である、複数のコンテンツ情報５２１ａ〜５２１ｄが表示画面５１０に表示されている。
【００２３】  コンテンツ情報群５２０を構成する複数のコンテンツ情報は互いに異なる種類の多様なコンテンツを示すコンテンツ情報であってよく、例えば、図１を参照すると、コンテンツ情報５２１ａは「Ｎｅｗｓ  Ｃｏｎｔｅｎｔ  １」、コンテンツ情報５２１ｂは「Ｉｍａｇｅ  Ｃｏｎｔｅｎｔ  １」、コンテンツ情報５２１ｃは「Ｎｅｗｓ  Ｃｏｎｔｅｎｔ  ２」、コンテンツ情報５２１ｄは「ＳＮＳ  Ｃｏｎｔｅｎｔ  １」である。表示画面５１０がいわゆるタッチパネル機能を有する場合には、操作体をコンテンツ情報群５２０の上で、配列方向、すなわち図１に示す例では上下方向に移動させることにより、コンテンツ情報群５２０の表示が上下にスクロールされ、表示画面５１０に表示されるコンテンツ情報が変化する。また、操作体が、コンテンツ情報群５２０に含まれるコンテンツ情報のうちの１つをタップすることにより、対応するコンテンツを再生、閲覧等するアプリケーションが起動され、当該コンテンツのより詳細な内容が表示画面５１０に表示されてもよい。
【００２４】  インジケータ５３０は、表示画面５１０に表示されているコンテンツ情報群５２０の一部の、コンテンツ情報群５２０全体に対する位置関係を俯瞰的に示す。図１に示す例では、インジケータ５３０は、いわゆるスクロールインジケータであり、表示画面５１０上において、コンテンツ情報群５２０の配列方向、すなわち表示画面５１０の上下方向に延伸する直線形状を有する。インジケータ５３０は、コンテンツ情報群５２０のうち表示画面５１０に表示されている部分を示す表示部分標示領域５３１と、コンテンツ情報群５２０のうち表示画面５１０に表示されていない部分を示す非表示部分標示領域５３２ａ、５３２ｂとを有する。コンテンツ情報群５２０の表示のスクロールに応じて、インジケータ５３０における表示部分標示領域５３１の位置もリアルタイムで変化する。
【００２５】  インジケータ５３０では、その全体の長さがコンテンツ情報群５２０全体の長さ（量）に対応しており、コンテンツ情報群５２０全体に対する、表示画面５１０に表示されている部分の位置関係及び量が、表示部分標示領域５３１によって表現されている。図１の右側には、インジケータ５３０を拡大した様子を図示し、インジケータ５３０における各領域が概念的に示されている。また、インジケータ５３０の表示部分標示領域５３１及び非表示部分標示領域５３２ａ、５３２ｂは、ユーザによって視認されやすいように、互いに異なる表示を有する。図１に示す例であれば、表示部分標示領域５３１と非表示部分標示領域５３２ａ、５３２ｂとは、互いに異なる色を有している。
【００２６】  以上、図１を参照して説明したように、一般的なインジケータ５３０は、表示部分標示領域５３１及び非表示部分標示領域５３２ａ、５３２ｂによって構成されており、ユーザは、インジケータ５３０における表示部分標示領域５３１の位置を参照することにより、表示画面５１０に表示されている部分のコンテンツ情報群５２０全体に対する位置関係を把握することができる。しかしながら、コンテンツ情報群５２０は随時更新され得る。コンテンツ情報群５２０の更新に対応してインジケータ５３０も更新されるが、一般的なインジケータ５３０にはコンテンツ情報群５２０の更新に関する情報が反映されない。従って、ユーザがインジケータ５３０を参照したとしても、コンテンツ情報群５２０が更新されたかどうかや、更新されたコンテンツ情報のコンテンツ情報群５２０の全体に対する位置関係を把握することは困難である。従って、ユーザはコンテンツ情報群５２０をスクロール表示させ、表示画面５１０に表示されるコンテンツ情報を確認することによってその更新を認識する必要があるという不便があった。
【００２７】  本発明者らは、上述した一般的なコンテンツ情報群及びインジケータにおける考察結果に鑑み、ユーザの利便性をより向上させることができる構成について検討した結果、以下に示す本開示の一実施形態に係る更新情報通知処理に想到した。
【００２８】  ［１−２．本実施形態に係る更新情報通知処理］  図２を参照して、本開示の一実施形態に係る更新情報通知処理の概要について説明する。図２は、本開示の一実施形態に係るコンテンツ情報群及びインジケータの表示の一例を示す概略図である。
【００２９】  図２を参照すると、表示画面６１０上に、本実施形態に係るコンテンツ情報群６２０及び本実施形態に係るインジケータ６３０が表示されている。図２に示す例では、表示画面６１０が２つの領域に分割されており、一の領域にコンテンツ情報群６２０の少なくとも一部が表示され、他の領域にインジケータ６３０が表示されている。
【００３０】  コンテンツ情報群６２０は、複数のコンテンツ情報が所定の配列順に従って列状（リスト状）に並べられて構成される。図２に示す例では、コンテンツ情報群６２０を構成する複数のコンテンツ情報のうちの一部分である、複数のコンテンツ情報６２１ａ〜６２１ｄが表示画面６１０に表示されている。なお、以下の説明では、表示画面６１０において、コンテンツ情報群６２０を構成するコンテンツ情報が配列される方向（図２に示す例では表示画面６１０の上下方向）を第１の方向とも呼称する。また、以下の説明では、表示画面６１０の表示を基準にして、上方向、下方向、左方向及び右方向の概念を定義する。
【００３１】  コンテンツ情報群６２０を構成する複数のコンテンツ情報は互いに異なる種類の多様なコンテンツを示すコンテンツ情報であってよく、例えば、図２を参照すると、コンテンツ情報６２１ａは「Ｎｅｗｓ  Ｃｏｎｔｅｎｔ  ３」、コンテンツ情報６２１ｂは「Ｉｍａｇｅ  Ｃｏｎｔｅｎｔ  ２」、コンテンツ情報６２１ｃは「Ｎｅｗｓ  Ｃｏｎｔｅｎｔ  ４」、コンテンツ情報６２１ｄは「ＳＮＳ  Ｃｏｎｔｅｎｔ  ２」である。また、表示画面６１０上においてコンテンツ情報群６２０をスクロール表示させ、表示画面６１０に表示されるコンテンツ情報を変化させることが可能である。また、表示画面６１０に表示されているコンテンツ情報のうちの１つを選択することにより、当該コンテンツのより詳細な内容を参照することができる。具体的には、例えば、表示画面６１０がいわゆるタッチパネル機能を有する場合には、操作体をコンテンツ情報群６２０の上で、その配列方向である第１の方向、すなわち図２に示す例では上下方向に移動させることにより、コンテンツ情報群６２０の表示が上下にスクロールされ、表示画面６１０に表示されるコンテンツ情報が変化する。また、操作体が、コンテンツ情報群６２０に含まれるコンテンツ情報のうちの１つをタップすることにより、対応するコンテンツを再生、閲覧等するアプリケーションが起動され、当該コンテンツのより詳細な内容が表示画面５１０に表示されてもよい。なお、操作体によるドラッグ及びタップは、例えばマウスによって操作されるカーソルによるドラッグ及びクリックであってもよい。
【００３２】  本実施形態においては、コンテンツ情報群６２０は随時更新され得る。ここで、本実施形態において、「更新」とは、コンテンツ情報群６２０を構成するコンテンツ情報の数や種類が変更されたことであってもよいし、コンテンツ情報群６２０を構成するコンテンツ情報の内容が変更されたことであってもよい。また、コンテンツ情報群６２０を構成するコンテンツ情報のうち更新されたコンテンツ情報とは、表示画面６１０上に１度も表示されていない、すなわちユーザによって１度も視認されていないコンテンツ情報であってよい。また、本実施形態においては、コンテンツ情報群６２０を構成するコンテンツ情報のうち、表示画面６１０に少なくとも１度は表示されたコンテンツ情報のことをユーザにとって既読のコンテンツ情報と表現し、表示画面６１０に１度も表示されていないコンテンツ情報のことをユーザにとって未読のコンテンツ情報と表現することがある。
【００３３】  本実施形態においては、インジケータ６３０の構成が、図１に示す一般的なインジケータ５３０とは異なる。具体的には、本実施形態に係るインジケータ６３０には、コンテンツ情報群６２０の更新に関する情報が表示される。
【００３４】  本実施形態に係るインジケータ６３０の構成について詳しく説明する。インジケータ６３０は、表示画面６１０に表示されているコンテンツ情報群６２０の一部の、コンテンツ情報群６２０全体に対する位置関係を俯瞰的に示す。図２に示す例では、インジケータ６３０は、いわゆるスクロールインジケータであり、表示画面６１０上において、コンテンツ情報群６２０の配列方向である第１の方向、すなわち表示画面６１０の上下方向に延伸する直線形状を有する。インジケータ６３０は、コンテンツ情報群６２０のうち表示画面６１０に表示されている部分（以下、表示部分とも呼称する。）を示す表示部分標示領域６３１と、コンテンツ情報群６２０のうち表示画面５１０に表示されていない部分でありかつ更新されていない部分（例えばユーザによって既読のコンテンツ情報に対応する部分。以下、非表示部分又は既読部分とも呼称する。）を示す既読部分標示領域６３２と、コンテンツ情報群６２０のうち更新されたコンテンツ情報に対応する部分（以下、更新部分とも呼称する。）を示す更新部分標示領域６３３と、を有する。コンテンツ情報群６２０の表示のスクロールに応じて、インジケータ６３０における表示部分標示領域６３１の位置もリアルタイムで変化する。
【００３５】  インジケータ６３０では、その全体の長さがコンテンツ情報群６２０の全体の長さ（量）に対応しており、コンテンツ情報群６２０全体に対する、表示部分、既読部分及び更新部分の位置関係及び量が、表示部分標示領域６３１、既読部分標示領域６３２及び更新部分標示領域６３３によって表現されている。図２の右側には、インジケータ６３０を拡大した様子を図示し、インジケータ６３０における各領域が概念的に示されている。インジケータ６３０の表示部分標示領域６３１、既読部分標示領域６３２及び更新部分標示領域６３３は、ユーザによって視認されやすいように、互いに異なる表示を有する。図２に示す例であれば、表示部分標示領域６３１と、既読部分標示領域６３２と、更新部分標示領域６３３とは、互いに異なる色を有して表示されている。ただし、本実施形態では、インジケータ６３０における各領域の表示を互いに異なるものとする方法は、異なる色を付すことに限定されず、他のあらゆる表示のさせ方が適用されてよい。例えば、インジケータ６３０においては、表示部分標示領域６３１、既読部分標示領域６３２及び更新部分標示領域６３３の形状を互いに異なるものとしてもよい。各領域の形状を互いに異なるものとするとは、例えば、領域を形成する枠線の太さや枠線の形状等を互いに異ならせることであってよい。
【００３６】  ここで、コンテンツ情報群６２０が更新された場合について考える。例えば、図２に示すように、新たなＳＮＳコンテンツ情報や新たな画像コンテンツ情報が新規に取得され、コンテンツ情報群６２０にこれらのコンテンツ情報が追加されたとする。コンテンツ情報群６２０に新たなコンテンツ情報が追加されたとすると、コンテンツ情報群６２０を構成するコンテンツ情報の数が増加しコンテンツ情報群６２０全体の量が変化するため、その量の変化に応じてインジケータ６３０も再生成される。本実施形態においては、上述したように、インジケータ６３０が生成される際に、コンテンツ情報群６２０に新たに追加されたコンテンツ情報に対応する部分である更新部分を示す更新部分標示領域６３３が、他の部分である表示部分標示領域６３１及び既読部分標示領域６３２とは異なる表示を有するように生成される。従って、表示画面６１０上のインジケータ６３０を参照したユーザは、コンテンツ情報群６２０が更新されたことを認識することができるとともに、更新部分がコンテンツ情報群６２０内のどこに存在するのか（すなわち、新たに取得されたコンテンツ情報がコンテンツ情報群６２０のどの位置に追加されたのか）を認識することができる。図２に示す例では、コンテンツ情報群６２０の末尾（表示画面６１０における下方向の端）に新規に取得されたＳＮＳコンテンツ情報及び画像コンテンツ情報が追加され、そのコンテンツ情報群６２０の更新に対応して、インジケータ６３０の下側に更新部分標示領域６３３が形成されている。
【００３７】  ここで、上述したように、図１に示す一般的な既存のインジケータ５３０では、コンテンツ情報群５２０の更新に対応してインジケータ５３０が更新された場合に、ユーザがインジケータ５３０を参照するだけでは、コンテンツ情報群５２０が更新されたかどうかや、更新されたコンテンツ情報のコンテンツ情報群５２０の全体に対する位置関係を把握することが困難であった。一方、本実施形態に係るインジケータ６３０が、コンテンツ情報群６２０における更新部分を示す更新部分標示領域６３３を有する。従って、ユーザは、インジケータ６３０を参照することにより、コンテンツ情報群６２０全体に対する更新部分の位置を素早く把握することができ、例えば表示画面６１０上のコンテンツ情報群６２０の表示をスクロールさせ、当該更新部分により素早くアクセスすることが可能となる。よって、ユーザの利便性がより向上される。なお、本実施形態においては、更新部分のうち表示画面６１０に表示された部分は、ユーザによって既に参照された既読部分であるとみなされてよい。そして、更新部分が既読部分に変更されることに応じて、インジケータ６３０における既読部分標示領域６３２及び更新部分標示領域６３３の表示（例えば、既読部分標示領域６３２及び更新部分標示領域６３３のインジケータ６３０全体に対する量を示す割合）が変更されてもよい。このように、更新部分の変化に応じてインジケータ６３０の表示がリアルタイムで変化することにより、ユーザはインジケータ６３０の表示から、コンテンツ情報群６２０内での未読のコンテンツ情報の位置情報を随時取得することができる。よって、ユーザの利便性が更に向上される。
【００３８】  以上、図１及び図２を参照して説明したように、本実施形態においては、インジケータ６３０に、コンテンツ情報群６２０の更新に関する情報が反映されることにより、ユーザの利便性がより向上される。次に、このような本実施形態に係る更新情報通知処理を実現するための情報処理装置の一構成例について説明する。
【００３９】  ＜２．情報処理装置の構成＞  図３を参照して、本開示の一実施形態に係る情報処理装置１０の一構成例について説明する。図３は、本開示の一実施形態に係る情報処理装置１０の一構成例を示す機能ブロック図である。なお、以下では、情報処理装置１０がスマートフォンやタブレットＰＣ等のタッチパネルを有する情報処理装置である場合を例に挙げて本実施形態についての説明を行う。
【００４０】  図３を参照すると、本実施形態に係る情報処理装置１０は、表示部１１０、入力部１２０及び制御部１３０を備える。
【００４１】  表示部１１０は、各種の情報をテキスト、グラフ、画像等、あらゆる形式で視覚的にユーザに対して出力する出力手段の一例である。表示部１１０は、例えばディスプレイ装置によって構成され、当該ディスプレイ装置の表示画面に各種の情報を表示することによりユーザに対してそれらの情報を通知する。本実施形態では、表示部１１０は後述する制御部１３０の表示制御部１３５によってその駆動が制御され、図２に示すように、本実施形態に係るコンテンツ情報群６２０の少なくとも一部及び本実施形態に係るインジケータ６３０がその表示画面に表示される。また、表示部１１０は、コンテンツ情報群６２０を構成するコンテンツ情報のうちのいずれかが選択された際に、当該選択されたコンテンツのより詳細な情報を表示画面に表示してもよい。表示部１１０の表示画面に表示される情報はかかる例に限定されず、情報処理装置１０によって実行されるあらゆる公知のアプリケーションにおいて処理される各種の情報が表示されてよい。
【００４２】  入力部１２０は、ユーザによって操作される操作手段であって、各種の情報や処理に関する指示等を情報処理装置１０に入力するための操作手段の一例である。入力部１２０は、例えば、マウス、キーボード、タッチパネル、ボタン及びスイッチ等の操作手段を有する。本実施形態に係る情報処理装置１０では、表示部１１０と入力部１２０とが一体的に構成され、タッチパネルが構成される。従って、表示部１１０の表示画面上における操作体の動作が、入力部１２０を介した各種の情報や指示等の入力に対応している。例えば、表示部１１０の表示画面上における操作体の動作が、入力部１２０を介した操作入力として後述する制御部１３０の表示制御部１３５に入力され、表示部１１０における表示が制御されてよい。具体的には、表示部１１０の表示画面に表示されているコンテンツ情報群の上で、操作体をその配列方向に移動させることにより、コンテンツ情報群の表示がスクロールされ、当該表示画面に表示されるコンテンツ情報が変化する。また、操作体が、表示部１１０の表示画面に表示されているコンテンツ情報群に含まれるコンテンツ情報のうちの１つをタップすることにより、対応するコンテンツを再生、閲覧等するアプリケーションが起動され、当該コンテンツのより詳細な内容が当該表示画面に表示されてもよい。また、情報処理装置１０は、入力部１２０からの操作入力に応じて、コンテンツ情報群を更新してもよい。
【００４３】  制御部１３０は、コンテンツ情報取得部１３１、コンテンツ情報群生成部１３２、更新検出部１３３、インジケータ生成部１３４及び表示制御部１３５を有する。
【００４４】  コンテンツ情報取得部１３１は、本実施形態に係るコンテンツ情報群を構成するコンテンツ情報を取得する。本実施形態においては、コンテンツ情報取得部１３１がコンテンツ情報を取得する方法は一意に限定されず、コンテンツ情報取得部１３１はあらゆる方法でコンテンツ情報を取得することができる。例えば、コンテンツ情報取得部１３１は、通信網（ネットワーク）を介して情報処理装置１０と接続される外部の他の機器（外部機器）からコンテンツ情報を取得してもよいし、情報処理装置１０が有する内部の記憶部（図示せず。）からコンテンツ情報を取得してもよい。また、コンテンツ情報取得部１３１は、所定のタイミングで自動的にコンテンツ情報を取得してもよいし、入力部１２０を介したユーザによる所定の操作入力に応じたタイミングでコンテンツ情報を取得してもよい。コンテンツ情報取得部１３１は、取得したコンテンツ情報をコンテンツ情報群生成部１３２に送信する。
【００４５】  コンテンツ情報群生成部１３２は、コンテンツ情報取得部１３１によって取得されたコンテンツ情報に基づいて、表示部１１０の表示画面上の所定の領域に表示されたコンテンツ情報が所定の配列順に複数連ねられたコンテンツ情報群を生成する。当該コンテンツ情報群は、例えば図２に示すコンテンツ情報群６２０に対応するものである。また、コンテンツ情報群生成部１３２は、既に生成されているコンテンツ情報群に対して、コンテンツ情報取得部１３１によって新たに取得されたコンテンツ情報を追加することによってコンテンツ情報群を新たに生成する（更新する）ことができる。本実施形態においてコンテンツ情報群の更新とは、コンテンツ情報群に新たに取得されたコンテンツ情報（すなわち、新着情報）が追加されることであると言える。また、コンテンツ情報群生成部１３２によるコンテンツ情報群の更新においては、新たに取得されたコンテンツ情報によって、コンテンツ情報群を構成するコンテンツ情報の数が増加されてもよいし、既に生成されているコンテンツ情報群に含まれるコンテンツ情報の内容が変更されてもよい。
【００４６】  また、本実施形態に係るコンテンツ情報群におけるコンテンツ情報の配列順は、例えばコンテンツ情報が更新された順番、すなわち、コンテンツ情報がコンテンツ情報取得部１３１によって取得された順番である。ただし、本実施形態に係るコンテンツ情報群の配列順はかかる例に限定されず、コンテンツ情報群においてはコンテンツ情報があらゆる順番で配列されてよい。例えば、コンテンツ情報群において、コンテンツ情報は、同一の種類のコンテンツ情報がグループ化され当該グループ単位で配列されてもよいし、コンテンツの内容に基づいて互いに関連する内容を有するコンテンツ情報（例えば、ＳＮＳコンテンツにおいて同一の人物によって投稿されたメッセージやコメントについてのコンテンツ情報等）がグループ化され当該グループ単位で配列されてもよい。コンテンツ情報群生成部１３２は、生成したコンテンツ情報群についての情報を、更新検出部１３３、インジケータ生成部１３４及び表示制御部１３５に送信する。
【００４７】  更新検出部１３３は、コンテンツ情報群生成部１３２によって生成されたコンテンツ情報群を構成するコンテンツ情報のうち、更新されたコンテンツ情報を検出する。具体的には、更新検出部１３３は、コンテンツ情報群を構成するコンテンツ情報の中で、コンテンツ情報群生成部１３２によってコンテンツ情報群に新たに追加されたコンテンツ情報を、更新されたコンテンツ情報として検出することができる。また、本実施形態においては、コンテンツ情報群のうち、表示部１１０の表示画面に少なくとも１度表示されたコンテンツ情報は、ユーザに視認されたコンテンツ情報（すなわち、ユーザにとって既読のコンテンツ情報）とみなされてよい。従って、更新検出部１３３は、コンテンツ情報群を構成するコンテンツ情報の中で、表示部１１０の表示画面に１度も表示されていないコンテンツ情報を、更新されたコンテンツ情報として検出してもよい。具体的には、更新検出部１３３は、表示部１１０の表示画面における表示を制御する表示制御部１３５から、当該表示画面におけるコンテンツ情報の表示の有無についての情報を取得することにより、更新されたコンテンツ情報を検出することができる。更新検出部１３３は、検出した、更新されたコンテンツ情報についての情報をインジケータ生成部１３４に送信する。
【００４８】  インジケータ生成部１３４は、コンテンツ情報群生成部１３２によって生成されたコンテンツ情報群についての情報、及び、更新検出部１３３によって検出された更新されたコンテンツ情報についての情報に基づいて、コンテンツ情報群の中で更新されたコンテンツ情報に対応する部分である更新部分のコンテンツ情報群全体に対する位置関係を少なくとも示すインジケータを生成する。当該インジケータは、例えば図２に示すインジケータ６３０に対応するものである。図２を参照して説明したように、本実施形態に係るインジケータは、コンテンツ情報群の中で表示画面に表示されたコンテンツ情報に対応する部分である表示部分のコンテンツ情報群全体に対する位置関係を示す表示部分標示領域と、更新部分のコンテンツ情報群全体に対する位置関係を示す更新部分標示領域と、コンテンツ情報群の中で表示部分及び更新部分に含まれないコンテンツ情報に対応する部分である既読部分（又は非表示部分）のコンテンツ情報群全体に対する位置関係を示す既読部分標示領域（又は非表示部分標示領域）と、から構成される。そして、インジケータ生成部１３４は、表示部分標示領域と、更新部分標示領域と、既読部分標示領域とが、互いに異なる表示を有するように、インジケータを生成することができる。例えば、インジケータ生成部１３４は、表示部分標示領域と、更新部分標示領域と、既読部分標示領域とが、互いに異なる色を有するようにインジケータを生成してもよい。また、例えば、インジケータ生成部１３４は、表示部分標示領域と、更新部分標示領域と、既読部分標示領域とが、互いに異なる形状を有するようにインジケータを生成してもよい。
【００４９】  また、インジケータ生成部１３４は、表示部１１０の表示画面上でのコンテンツ情報群の表示における配列順に沿った方向である第１の方向に延伸する直線形状を有するインジケータを生成してもよい。インジケータが直線形状を有する場合、当該インジケータの全体の長さがコンテンツ情報群の全体の長さ（量）に対応し、コンテンツ情報群全体に対する、表示部分、更新部分及び既読部分の位置関係及び量が、表示部分標示領域、更新部分標示領域及び既読部分標示領域によって表現されていてよい。具体的には、インジケータ生成部１３４は、表示部分標示領域が、コンテンツ情報群を構成するコンテンツ情報の総数に対する表示部分を構成するコンテンツ情報の数の割合を反映した大きさを有し、更新部分標示領域が、コンテンツ情報群を構成するコンテンツ情報の総数に対する更新部分を構成するコンテンツ情報の数の割合を反映した大きさを有し、既読部分標示領域が、コンテンツ情報群を構成するコンテンツ情報の総数に対する既読部分を構成するコンテンツ情報の数の割合を反映した大きさを有するように、インジケータを生成することができる。
【００５０】  なお、インジケータ生成部１３４は、コンテンツ情報群生成部１３２から送信されるコンテンツ情報群についての情報に基づいて、コンテンツ情報群を構成するコンテンツ情報の総数についての情報を得ることができる。また、インジケータ生成部１３４は、更新検出部１３３から送信される更新されたコンテンツ情報についての情報に基づいて、更新部分標示領域を形成するために必要な情報を得ることができる。また、インジケータ生成部１３４は、表示部１１０の表示画面における表示を制御する表示制御部１３５から、当該表示画面におけるコンテンツ情報の表示の有無についての情報を取得することにより、表示部分標示領域及び既読部分標示領域を形成するために必要な情報を得ることができる。このように、インジケータ生成部１３４は、コンテンツ情報群生成部１３２、更新検出部１３３及び表示制御部１３５から得られる各種の情報に基づいてインジケータを生成することができる。
【００５１】  インジケータ生成部１３４は、生成したインジケータについての情報を表示制御部１３５に送信する。
【００５２】  表示制御部１３５は、表示部１１０の駆動を制御することにより、表示部１１０の表示画面における表示を制御する。本実施形態においては、表示制御部１３５は、コンテンツ情報群生成部１３２によって生成されたコンテンツ情報群の少なくとも一部をその配列順に従って表示画面上に表示させるとともに、インジケータ生成部１３４によって生成されたインジケータを表示画面上に表示させる。例えば、表示制御部１３５は、図２に示すように、表示部１１０の表示画面を２つの領域に分割し、一の領域にコンテンツ情報群の少なくとも一部を表示させ、他の領域にインジケータを表示させることにより、表示画面上にコンテンツ情報群の少なくとも一部とインジケータとを並列させて表示させる。ただし、本実施形態においては表示画面上にコンテンツ情報群の少なくとも一部及びインジケータがともに表示されればよく、表示制御部１３５によるこれらの表示方法はかかる例に限定されない。例えば、表示制御部１３５は、表示部１１０の表示画面において、コンテンツ情報群の少なくとも一部にインジケータを重畳させて表示させてもよい。また、表示制御部１３５は、表示部１１０の表示画面において、インジケータを常には表示させず、所定の操作入力があった場合（例えばコンテンツ情報群をスクロール表示させる旨の操作入力があった場合）にインジケータを表示させてもよい。
【００５３】  また、表示制御部１３５は、表示部１１０の表示画面における表示を制御するものであるため、表示部１１０の表示画面に表示された事物についての情報を取得することができる。具体的には、表示制御部１３５は、コンテンツ情報群を構成するコンテンツ情報の中で、表示部１１０の表示画面に少なくとも１度は表示されたコンテンツ情報と１度も表示されていないコンテンツ情報とを特定するための情報を取得することができる。本実施形態では、表示制御部１３５によって、このような表示部１１０の表示画面に表示された事物についての情報が、更新検出部１３３及びインジケータ生成部１３４に送信される。更新検出部１３３及びインジケータ生成部１３４は、送信された当該情報に基づいて、コンテンツ情報群における未読部分と既読部分とを判断することができる。
【００５４】  なお、表示制御部１３５による表示部１１０の表示画面における表示の具体例については、下記＜３．更新情報通知処理の具体例＞でより詳しく説明する。
【００５５】  以上、図３を参照して、本実施形態に係る情報処理装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００５６】  以上説明したように、本実施形態によれば、コンテンツ情報群生成部１３２によって表示画面上の所定の領域に表示されたコンテンツ情報が所定の配列順に複数連ねられたコンテンツ情報群が生成され、表示制御部１３５によって当該コンテンツ情報群の一部が当該配列順に従って表示画面上に表示される。また、更新検出部１３３によってコンテンツ情報群のうち更新されたコンテンツ情報が検出され、インジケータ生成部１３４によってコンテンツ情報群の中で更新されたコンテンツ情報に対応する部分である更新部分のコンテンツ情報群全体に対する位置関係を少なくとも示すインジケータが生成される。更に、表示制御部１３５によってコンテンツ情報群の一部とともに当該インジケータが表示画面に表示される。従って、ユーザは、当該インジケータを参照することにより、コンテンツ情報群全体に対する更新部分の位置を素早く把握することができ、当該更新部分により素早くアクセスすることが可能となる。よって、ユーザの利便性がより向上される。
【００５７】  また、本実施形態においては、更新部分のうち表示画面に表示された部分は、ユーザによって既に参照された既読部分であるとみなされてよい。そして、コンテンツ情報群において更新部分が既読部分に変更されることに応じて、インジケータにおける既読標示領域及び更新部分標示領域の表示が随時変更されてもよい。このように、更新部分の変化に応じてインジケータの表示がリアルタイムで変化することにより、ユーザはインジケータの表示から、コンテンツ情報群内での未読のコンテンツ情報の位置情報を随時取得することができる。よって、ユーザの利便性が更に向上される。
【００５８】  ＜３．更新情報通知処理の具体例＞  次に、図４、図５及び図６を参照して、本実施形態に係る更新情報通知処理の具体例について、表示部１１０の表示画面の一表示例を示しながら詳細に説明する。なお、以下の更新情報通知処理の具体例についての説明では、更新情報通知処理における各種の処理と図３に示す情報処理装置１０の各構成要素の機能とを対応付けて説明を行う。
【００５９】  ［３−１．第１の具体例］  まず、図４を参照して、本実施形態に係る更新情報通知処理の第１の具体例について説明する。図４は、本実施形態に係る更新情報通知処理の第１の具体例について説明するための説明図である。
【００６０】  図４を参照すると、コンテンツ情報取得部１３１によってコンテンツ情報が取得され、コンテンツ情報群生成部１３２によってコンテンツ情報群が生成され、更新検出部１３３によってコンテンツ情報群の中で更新されたコンテンツ情報が検出され、インジケータ生成部１３４によってインジケータが生成される一連の処理の間における、表示画面７１０の様子が図示されている。なお、表示画面７１０は、図３に示す表示部１１０の表示画面に対応するものであり、表示制御部１３５によってその表示が制御される。また、図４では、上段に表示画面７１０の様子が図示され、下段に表示画面７１０に表示されているインジケータが拡大されて図示されている。
【００６１】  図４を参照すると、まず、ステップＡ１では、表示画面７１０にコンテンツ情報群７２０及びインジケータ７３０が図示されている。コンテンツ情報群７２０は、図２に示す本実施形態に係るコンテンツ情報群６２０と同様の構成を有するものである。コンテンツ情報群７２０は、複数のコンテンツ情報が所定の配列順に従って列状（リスト状）に並べられて構成されている。図４に示す例では、当該配列順はコンテンツ情報取得部１３１によって取得された順（すなわち、更新された順）であり、コンテンツ情報群７２０では、表示画面７１０の上下方向に対して下に位置するほど新しく取得されたコンテンツ情報になるようにコンテンツ情報が配列されている。
【００６２】  ステップＡ１では、コンテンツ情報群７２０を構成するコンテンツ情報のうちの一部である、「＃１０  Ｎｅｗｓ  Ｃｏｎｔｅｎｔ」、「＃１１  Ｉｍａｇｅ  Ｃｏｎｔｅｎｔ」、「＃１２  Ｎｅｗｓ  Ｃｏｎｔｅｎｔ」及び、「＃１３  ＳＮＳ  Ｃｏｎｔｅｎｔ」が表示画面７１０に表示されている。表示画面７１０は、図３に示す入力部１２０と一体的に、タッチパネル機能を有するように構成されている。従って、ユーザは、図４に示すように操作体（例えば指）を表示画面７１０上で、コンテンツ情報群７２０の配列順の方向である上下方向に移動させる（ドラッグさせる）ことにより、コンテンツ情報群７２０をスクロール表示させることができる。図４のステップＡ１では、指を表示画面７１０上で下から上に動かすことによりコンテンツ情報群７２０の表示が下から上にスクロール表示される様子が図示されている。
【００６３】  インジケータ７３０は、図２に示す本実施形態に係るインジケータ６３０と同様の構成を有するものである。図４に示す例では、ステップＡ１の状態は、コンテンツ情報群７２０を構成する各コンテンツ情報が、既に少なくとも１回は表示画面７１０に表示されている（すなわち、ユーザによって１度は参照されている）状態であるとする。従って、インジケータ７３０は、コンテンツ情報群７２０のうち表示画面７１０に表示されている部分である表示部分を示す表示部分標示領域７３１と、コンテンツ情報群７２０のうち表示画面７１０に表示されていない部分でありかつ更新されていない部分である既読部分を示す既読部分標示領域７３２ａ、７３２ｂとで構成されている。
【００６４】  ステップＡ２は、ステップＡ１に示す状態で、ユーザがコンテンツ情報群７２０の表示を上方向にスクロールさせ、コンテンツ情報群７２０の末尾までスクロールが達した状態を示している。コンテンツ情報群７２０の表示のスクロールに応じて、インジケータ７３０においては、表示部分標示領域７３１が最下部に位置し、それ以外の領域が既読部分標示領域７３２ａとなるように（すなわち、既読部分標示領域７３２ａの長さ（表示画面７１０の上下方向における長さ）が長くなるように）、その表示が変化される。
【００６５】  ここで、図４に示す第１の具体例では、コンテンツ情報群７２０の末尾まで表示のスクロールがなされたことをトリガーとして、コンテンツ情報取得部１３１によってコンテンツ情報が新たに取得される。具体的には、第１の具体例においては、コンテンツ情報群７２０の末尾まで表示のスクロールがなされた旨の情報が入力部１２０からコンテンツ情報取得部１３１に入力され、コンテンツ情報取得部１３１は当該情報が入力されたことをトリガーとしてコンテンツ情報の取得を行う。また、コンテンツ情報群７２０の末尾まで表示のスクロールがなされ、コンテンツ情報取得部１３１によってコンテンツ情報が新たに取得されている間、図４に示すように、表示画面７１０上にコンテンツ取得中であることを示す「Ｌｏａｄｉｎｇ」等の文字が表示されてもよい。ただし、本実施形態においては、コンテンツ情報取得部１３１がコンテンツ情報を取得するタイミングはかかる例に限定されず、コンテンツ情報取得部１３１は、所定のタイミングで定期的にコンテンツ情報を取得してもよいし、入力部１２０から入力される他の所定の操作入力をトリガーとしてコンテンツ情報を取得してもよい。
【００６６】  ステップＡ３は、ステップＡ２に示す状態から、コンテンツ情報取得部１３１によってコンテンツ情報が新たに取得され、取得されたコンテンツ情報に基づいてコンテンツ情報群生成部１３２及びインジケータ生成部１３４によってコンテンツ情報群７２０及びインジケータ７３０が新たに生成された状態を示している。図４に示す例では、コンテンツ情報取得部１３１が、情報処理装置１０の内部記憶部におけるキャッシュメモリからコンテンツ情報を取得する場合を示している。ただし、本実施形態においては、コンテンツ情報取得部１３１がコンテンツ情報を取得する取得元はかかる例に限定されず、例えばコンテンツ情報取得部１３１は、ネットワークによって接続された外部の他の機器からコンテンツ情報を取得してもよい。
【００６７】  ステップＡ３に示す状態では、コンテンツ情報取得部１３１によってコンテンツ情報が新たに取得されたことにより、コンテンツ情報群７２０が更新されている。具体的には、コンテンツ情報群７２０の配列順における下側に新たに取得されたコンテンツ情報が追加されている。図４に示す例では、新たに取得されたコンテンツ情報のうちの１つである「＃Ａｐｐｅｎｄ  ３１  ＳＮＳ  Ｃｏｎｔｅｎｔ」が、コンテンツ情報群７２０の一部として表示画面７１０に表示されている。
【００６８】  また、ステップＡ３に示す状態では、コンテンツ情報群７２０が更新されたことに応じて、インジケータ７３０も更新されている。具体的には、コンテンツ情報群７２０を構成するコンテンツ情報の総数が増加したことにより、表示部分標示領域７３１及び既読部分標示領域７３２ａの長さが短くなっている。これは、コンテンツ情報群７２０が更新されたことにより、表示部分及び既読部分を構成するコンテンツ情報の数の、コンテンツ情報群７２０を構成するコンテンツ情報の総数に対する割合が小さくなったからである。また、ステップＡ３に示す状態では、コンテンツ情報群７２０に新たに追加されたコンテンツ情報は、表示画面７１０にまだ１度も表示されていない（すなわち、ユーザによって１度も参照されていない）。従って、インジケータ７３０は、コンテンツ情報群７２０のうち更新されたコンテンツ情報に対応する部分である更新部分を示す更新部分標示領域７３３を有している。なお、インジケータ生成部１３４は、表示制御部１３５からコンテンツ情報群７２０の表示部分及び既読部分についての情報を受け取り、更新検出部１３３からコンテンツ情報群７２０の更新部分についての情報を受け取り、これらの情報に基づいてインジケータ７３０を生成することができる。
【００６９】  ステップＡ４は、ステップＡ３に示す状態で、ユーザがコンテンツ情報群７２０の表示を上方向にスクロール表示させた状態を示している。図４に示す例では、コンテンツ情報群７２０の表示がスクロールされることにより、ステップＡ３で新たに追加されたコンテンツ情報の一部である「＃Ａｐｐｅｎｄ  ５０  Ｎｅｗｓ  Ｃｏｎｔｅｎｔ」、「＃Ａｐｐｅｎｄ  ５１  Ｉｍａｇｅ  Ｃｏｎｔｅｎｔ」、「＃Ａｐｐｅｎｄ  ５２  Ｎｅｗｓ  Ｃｏｎｔｅｎｔ」及び「＃Ａｐｐｅｎｄ  ５３  Ｉｍａｇｅ  Ｃｏｎｔｅｎｔ」が表示画面７１０に表示されている。
【００７０】  ここで、本実施形態においては、少なくとも１度表示画面７１０に表示されたコンテンツ情報は、ユーザによって１度参照されたコンテンツ情報とみなされる。従って、図４のステップＡ４の状態に示すように、コンテンツ情報群７２０のスクロール表示に応じて、インジケータ７３０の表示も変化する。具体的には、コンテンツ情報群７２０のスクロール表示に応じて、更新部分に属するコンテンツ情報は更新部分から表示部分に属するように変化し、更には表示部分から既読部分に属するように変化するため、インジケータ７３０における既読部分標示領域７３２ａの長さが長くなるとともに、更新部分標示領域７３３の長さが短くなる。このように、インジケータ生成部１３４は、表示画面７１０の表示が変化する度に、表示制御部１３５や更新検出部１３３から、コンテンツ情報群７２０の表示部分、既読部分及び更新部分についての情報を取得し、これらの情報に基づいてインジケータ７３０を随時生成することができる。
【００７１】  以上、図４を参照して、本実施形態に係る更新情報通知処理の第１の具体例について説明した。
【００７２】  ［３−２．第２の具体例］  次に、図５を参照して、本実施形態に係る更新情報通知処理の第２の具体例について説明する。図５は、本実施形態に係る更新情報通知処理の第２の具体例について説明するための説明図である。なお、図５に示す更新情報通知処理の第２の具体例は、図４に示す第１の具体例に対して、コンテンツ情報群７２０の表示画面７１０における配列方向が逆であり、コンテンツ情報取得部１３１がコンテンツ情報を取得する取得元が異なる場合に対応しており、それ以外の各処理は第１の具体例と同様である。従って、以下の第２の具体例についての説明では、第１の具体例との相違点について主に説明し、重複する部分については詳細な説明を省略する。
【００７３】  図５を参照すると、コンテンツ情報取得部１３１によってコンテンツ情報が取得され、コンテンツ情報群生成部１３２によってコンテンツ情報群が生成され、更新検出部１３３によってコンテンツ情報群の中で更新されたコンテンツ情報が検出され、インジケータ生成部１３４によってインジケータが生成される一連の処理の間における、表示画面８１０の様子が図示されている。なお、表示画面８１０は、図４に示す第１の具体例における表示画面７１０に対応するものである。また、図５では、上段に表示画面８１０の様子が図示され、下段に表示画面８１０に表示されているインジケータが拡大されて図示されている。
【００７４】  図５を参照すると、ステップＢ１では、表示画面８１０にコンテンツ情報群８２０及びインジケータ８３０が図示されている。コンテンツ情報群８２０及びインジケータ８３０は、図４に示す第１の具体例におけるコンテンツ情報群７２０及びインジケータ７３０に対応するものである。ただし、コンテンツ情報群８２０は、表示画面８１０における表示の配列方向が、第１の具体例におけるコンテンツ情報群７２０の表示の配列方向とは逆である。つまり、コンテンツ情報群８２０では、表示画面８１０の上下方向に対して上に位置するほど新しく取得されたコンテンツ情報になるように、列状（リスト状）にコンテンツ情報が配列されている。当該配列方向に応じて、図５のステップＢ１では、指を表示画面８１０上で上から下に動かすことによりコンテンツ情報群８２０の表示が上から下にスクロール表示される様子が図示されている。
【００７５】  また、インジケータ８３０は、インジケータ７３０と同様、コンテンツ情報群８２０のうち表示画面８１０に表示されている部分である表示部分を示す表示部分標示領域８３１と、コンテンツ情報群８２０のうち表示画面８１０に表示されていない部分でありかつ更新されていない部分である既読部分を示す既読部分標示領域８３２ａ、８３２ｂとで構成されている。
【００７６】  ステップＢ２は、ステップＢ１に示す状態で、ユーザがコンテンツ情報群８２０の表示を下方向にスクロールさせ、コンテンツ情報群８２０の末尾までスクロールが達した状態を示している。コンテンツ情報群８２０の表示のスクロールに応じて、インジケータ８３０においては、表示部分標示領域８３１が最上部に位置し、それ以外の領域が既読部分標示領域８３２ａとなるように（すなわち、既読部分標示領域８３２ａの長さが長くなるように）、その表示が変化される。
【００７７】  ここで、図５に示す第２の具体例では、第１の具体例と同様、コンテンツ情報群８２０の末尾まで表示のスクロールがなされたことをトリガーとして、コンテンツ情報取得部１３１によってコンテンツ情報が新たに取得される。また、コンテンツ情報群８２０の末尾まで表示のスクロールがなされ、コンテンツ情報取得部１３１によってコンテンツ情報が新たに取得されている間、図５に示すように、表示画面８１０上にコンテンツ取得中であることを示す「Ｌｏａｄｉｎｇ」等の文字が表示されてもよい。ただし、第２の具体例においても、第１の具体例と同様、コンテンツ情報取得部１３１がコンテンツ情報を取得するタイミングはかかる例に限定されず、コンテンツ情報取得部１３１は、所定のタイミングで定期的にコンテンツ情報を取得してもよいし、入力部１２０から入力される他の所定の操作入力をトリガーとしてコンテンツ情報を取得してもよい。
【００７８】  ステップＢ３は、図４に示すステップＡ３に対応する状態を示している。すなわち、ステップＢ３は、ステップＢ２に示す状態から、コンテンツ情報取得部１３１によってコンテンツ情報が新たに取得され、取得されたコンテンツ情報に基づいてコンテンツ情報群生成部１３２及びインジケータ生成部１３４によってコンテンツ情報群８２０及びインジケータ８３０が新たに生成された状態を示している。ただし、図５に示す例では、図４に示す例とは異なり、コンテンツ情報取得部１３１は、情報処理装置１０とネットワークで接続された外部の他の機器（例えばクラウド（Ｃｌｏｕｄ）上の外部機器）からコンテンツ情報を取得する場合を示している。
【００７９】  ステップＢ３に示す状態では、コンテンツ情報取得部１３１によってコンテンツ情報が新たに取得されたことにより、コンテンツ情報群８２０が更新されている。具体的には、コンテンツ情報群８２０の配列順における上側に新たに取得されたコンテンツ情報が追加されている。図５に示す例では、新たに取得されたコンテンツ情報のうちの１つである「＃Ｐｒｅｐｅｎｄ  ４０  Ｉｍａｇｅ  Ｃｏｎｔｅｎｔ」が、コンテンツ情報群８２０の一部として表示画面８１０に表示されている。
【００８０】  また、ステップＢ３に示す状態では、コンテンツ情報群８２０が更新されたことに応じて、インジケータ８３０も更新されている。具体的には、第１の具体例と同様、コンテンツ情報群８２０を構成するコンテンツ情報の総数が増加したことにより、表示部分標示領域８３１及び既読部分標示領域８３２ａの長さが短くなっている。また、インジケータ８３０には、コンテンツ情報群８２０のうち更新されたコンテンツ情報に対応する部分である更新部分を示す更新部分標示領域８３３が追加されている。なお、インジケータ生成部１３４は、表示制御部１３５からコンテンツ情報群８２０の表示部分及び既読部分についての情報を受け取り、更新検出部１３３からコンテンツ情報群８２０の更新部分についての情報を受け取り、これらの情報に基づいてインジケータ８３０を生成することができる。
【００８１】  ステップＢ４は、ステップＢ３に示す状態で、ユーザがコンテンツ情報群８２０の表示を下方向にスクロール表示させた状態を示している。図５に示す例では、コンテンツ情報群８２０の表示がスクロールされることにより、ステップＢ３で新たに追加されたコンテンツ情報の一部である「＃Ｐｒｅｐｅｎｄ  １７  Ｎｅｗｓ  Ｃｏｎｔｅｎｔ」、「＃Ｐｒｅｐｅｎｄ  １８  Ｉｍａｇｅ  Ｃｏｎｔｅｎｔ」、「＃Ｐｒｅｐｅｎｄ  １９  Ｎｅｗｓ  Ｃｏｎｔｅｎｔ」及び「＃Ｐｒｅｐｅｎｄ  ２０  Ｉｍａｇｅ  Ｃｏｎｔｅｎｔ」が表示画面８１０に表示されている。
【００８２】  ここで、本実施形態においては、少なくとも１度表示画面８１０に表示されたコンテンツ情報は、ユーザによって１度参照されたコンテンツ情報とみなされる。従って、図５のステップＢ４の状態に示すように、第１の具体例と同様、コンテンツ情報群８２０のスクロール表示に応じて、インジケータ８３０の表示も変化する。具体的には、コンテンツ情報群８２０のスクロール表示に応じて、更新部分に属するコンテンツ情報は更新部分から表示部分に属するように変化し、更には表示部分から既読部分に属するように変化するため、インジケータ８３０における既読部分標示領域８３２ａの長さが長くなるとともに、更新部分標示領域８３３の長さが短くなる。このように、インジケータ生成部１３４は、表示画面８１０の表示が変化する度に、表示制御部１３５や更新検出部１３３から、コンテンツ情報群８２０の表示部分、既読部分及び更新部分についての情報を取得し、これらの情報に基づいてインジケータ８３０を随時生成することができる。
【００８３】  以上、図５を参照して、本実施形態に係る更新情報通知処理の第２の具体例について説明した。
【００８４】  ［３−３．第３の具体例］  次に、図６を参照して、本実施形態に係る更新情報通知処理の第３の具体例について説明する。図６は、本実施形態に係る更新情報通知処理の第３の具体例について説明するための説明図である。
【００８５】  上述した第１の具体例及び第２の具体例においては、コンテンツ情報群７２０、８２０が更新される際に、コンテンツ情報群７２０、８２０を構成するコンテンツ情報の数が増加される場合について説明した。これに対して、以下に示す第３の具体例では、コンテンツ情報群が更新される際にコンテンツ情報群を構成するコンテンツ情報のうちのいくつかのコンテンツ情報の内容が変更される場合における、更新情報通知処理について説明する。また、第３の具体例においては、コンテンツ情報群の配列順は、コンテンツ情報群にコンテンツ情報が構成要素として追加された順である（すなわち、既にコンテンツ情報群の構成要素となっているコンテンツ情報についてその内容が更新されたとしても、配列順は変化しない）とする。なお、コンテンツ情報群を構成するコンテンツ情報のうちのいくつかのコンテンツ情報の内容が変更される場合とは、例えばコンテンツ情報が、任意のＳＮＳサービスにおいて任意のユーザによって投稿されたコメントについての情報であって、当該コメントに対する他のユーザの反応を示す情報（例えば当該コメントへの応答や自コメントへの当該コメントの引用等）が追加される場合等が想定される。
【００８６】  図６を参照すると、表示画面９１０にコンテンツ情報群９２０及びインジケータ９３０が図示されている。ここで、図６は、所定のタイミングで自動的に又はユーザによる所定の操作入力に応じて、コンテンツ情報群の更新が行われ、コンテンツ情報群を構成するコンテンツ情報の内容が変更された直後における表示画面９１０の表示例を示している。すなわち、図６は、図４及び図５におけるステップＡ３及びステップＢ３に示す状態に対応する状態での表示画面９１０の一表示例を示している。
【００８７】  コンテンツ情報群９２０を構成するコンテンツ情報のうち、内容が変更されたコンテンツ情報は、ユーザにとって一部は既読であるが更新によって変更された部分（追加された部分）は未読であると言える。本実施形態では、このような一部のみが未読のコンテンツ情報も、コンテンツ情報群９２０における更新部分として扱われてもよい。従って、コンテンツ情報群９２０においては、その配列順に対して更新部分及び既読部分が連続的ではなく断続的な位置（飛び飛びの位置）に存在し得る。また、このようなコンテンツ情報群９２０の構成に応じて、図６に示すように、インジケータ９３０においては、表示部分標示領域９３１とともに、複数の既読部分標示領域９３２ａ、９３２ｂ、９３２ｃ、９３２ｄ及び複数の更新部分標示領域９３３ａ、９３３ｂ、９３３ｃが、断続的に存在し得る。従って、ユーザは、インジケータ９３０を参照することにより、コンテンツ情報群９２０全体に対する更新部分の位置を素早く把握することができる。なお、第１の具体例及び第２の具体例と同様、図６に示す状態からコンテンツ情報群９２０の表示をスクロールさせ、更新部分に属するコンテンツ情報が表示画面９１０に表示された場合には、対応する更新部分標示領域の表示が既読部分標示領域を示す表示に変更される。
【００８８】  以上、図６を参照して、本実施形態に係る更新情報通知処理の第３の具体例について説明した。以上説明したように、第３の具体例においては、コンテンツ情報群９２０を構成するコンテンツ情報のうちどのコンテンツ情報が更新されるのかが予め予測できず、更新後にコンテンツ情報群９２０の中に更新部分が断続的に存在する。このような状況において、例えば更新部分標示領域が存在しない一般的なインジケータが用いられた場合には、ユーザは、当該インジケータを参照してもコンテンツ情報群９２０全体に対する更新部分の位置を把握することは困難である。しかしながら、第３の具体例では、上述したように、インジケータ９３０において、断続的に存在する更新部分に対応して断続的な更新部分標示領域９３３ａ、９３３ｂ、９３３ｃが表示されるため、ユーザはインジケータ９３０を参照することにより、所望の更新部分に含まれるコンテンツ情報に素早くアクセスすることが可能となり、ユーザの利便性が向上される。
【００８９】  なお、図６に示す例では、更新部分標示領域９３３ａ、９３３ｂ、９３３ｃの表示が、第１の具体例や第２の具体例における更新部分標示領域７３３、８３３の表示と同様である場合について図示しているが、本実施形態はかかる例に限定されない。第１の具体例及び第２の具体例における更新部分はユーザにとって全てが未読のコンテンツ情報に対応する部分であるが、第３の具体例における更新部分はユーザにとってその一部のみが未読のコンテンツ情報に対応する部分である。本実施形態においては、ユーザにとってのこのような既読／未読の状態の違いに応じて、インジケータにおける更新部分標示領域が互いに異なる表示を有してもよい。例えば、インジケータは、表示部分標示領域、既読部分標示領域、全てが未読の更新部分標示領域及び一部のみ未読の更新部分標示領域の、４つの領域から構成され、これらの４つの領域が互いに異なる表示を有するように構成されてもよい。
【００９０】  ＜４．更新情報通知方法の処理手順＞  次に、図７を参照して、本開示の一実施形態に係る更新情報通知方法の処理手順について説明する。図７は、本開示の一実施形態に係る更新情報通知方法の処理手順の一例を示すフロー図である。なお、以下の更新情報通知方法の処理手順についての説明においては、図３に示す情報処理装置１０の各構成部材によって本実施形態に係る更新情報通知方法が実現される場合を例に挙げて説明を行うが、これら各構成部材の機能及び構成については、上記＜２．情報処理装置の構成＞で既に説明しているため、詳細な説明を省略する。
【００９１】  図７を参照すると、まず、ステップＳ２０１で、コンテンツ情報取得部１３１によってコンテンツ情報が取得される。ここで、コンテンツ情報は、所定のタイミングで自動的に取得されてもよいし、図４及び図５に示すようなユーザによる所定の操作入力に応じて取得されてもよい。
【００９２】  次いで、ステップＳ２０３で、コンテンツ情報群生成部１３２によって、取得されたコンテンツ情報を用いてコンテンツ情報群が生成される。当該コンテンツ情報群は複数の互いに異なるコンテンツ情報が所定の配列順に従って並べられて構成される。当該コンテンツ情報群は、例えば図２、図４、図５及び図６に示すコンテンツ情報群６２０、７２０、８２０、９２０に対応するものである。
【００９３】  次いで、ステップＳ２０５で、更新検出部１３３によって、ステップＳ２０３で生成されたコンテンツ情報群の中から更新されたコンテンツ情報が検出される。ここで、更新検出部１３３は、コンテンツ情報群を構成するコンテンツ情報の数や種類が変更されたことに基づいて更新されたコンテンツ情報を検出してもよいし、コンテンツ情報群を構成するコンテンツ情報の内容が変更されたことに基づいて更新されたコンテンツ情報を検出してもよい。また、更新検出部１３３は、コンテンツ情報群を構成するコンテンツ情報のうち、後述するステップＳ２０７で１度も表示画面に表示されていないコンテンツ情報を、更新されたコンテンツ情報として検出してもよい。
【００９４】  次いで、ステップＳ２０７で、表示制御部１３５によって、生成されたコンテンツ情報群の少なくとも一部が表示部１１０の表示画面に表示される。コンテンツ情報群は、当該表示画面に例えば列状（リスト状）に所定の配列順に従って並べられて表示される。ユーザは、所定の操作入力によって、表示画面に表示されているコンテンツ情報群をスクロール表示させることができる。
【００９５】  次いで、ステップＳ２０９で、インジケータ生成部１３４によって、ステップＳ２０３で生成されたコンテンツ情報群についての情報及びステップＳ２０５で検出された更新されたコンテンツ情報についての情報に基づいて、コンテンツ情報群の中で更新されたコンテンツ情報に対応する部分である更新部分のコンテンツ情報群全体に対する位置関係を少なくとも示すインジケータが生成される。当該インジケータは、例えば、更新部分のコンテンツ情報群全体に対する位置関係を示す更新部分標示領域と、表示画面に表示されている部分である表示部分のコンテンツ情報群全体に対する位置関係を示す表示部分標示領域と、表示部分及び更新部分に含まれないコンテンツ情報に対応する部分である既読部分のコンテンツ情報群全体に対する位置関係を示す既読部分標示領域と、を有する。このように、本実施形態に係るインジケータは、コンテンツ情報群全体に対する更新部分、表示部分及び既読部分の位置関係を俯瞰的に示すものであると言える。当該インジケータは、例えば図２、図４、図５及び図６に示すインジケータ６３０、７３０、８３０、９３０に対応するものである。
【００９６】  次いで、ステップＳ２１１で、表示制御部１３５によって、ステップＳ２０９で生成されたインジケータが、コンテンツ情報群の少なくとも一部とともに表示部１１０の表示画面に表示される。当該表示画面におけるコンテンツ情報群及びインジケータの表示は、例えば図２、図４、図５及び図６に示す表示画面６１０、７１０、８１０、９１０に示す表示に対応している。
【００９７】  次いで、ステップＳ２１３で、インジケータ生成部１３４によって、表示画面におけるコンテンツ情報群の表示の変化に応じてインジケータが再度生成され、再生成されたインジケータが表示制御部１３５によって表示画面に再度表示される。ステップＳ２０５における処理で上述したように、本実施形態では、コンテンツ情報群を構成するコンテンツ情報のうち表示画面に１度も表示されていないコンテンツ情報が更新されたコンテンツ情報として検出され得る。従って、表示画面におけるコンテンツ情報群の表示の変化に応じて、インジケータの表示もリアルタイムで随時更新される。ユーザは、当該インジケータを参照しながら、更新されたコンテンツ情報（すなわち、ユーザにとって未読のコンテンツ情報）の位置を把握するとともに、所望のコンテンツ情報により容易にアクセスすることが可能となる。
【００９８】  なお、ステップＳ２０３〜ステップＳ２１３における処理が行われている間に所定のタイミングが経過した場合又は所定の操作入力が行われた場合には、ステップＳ２０１に戻り、新たにコンテンツ情報が取得され、ステップＳ２０３〜ステップＳ２１３における一連の処理が繰り返し行われる。
【００９９】  以上、図７を参照して、本開示の一実施形態に係る更新情報通知方法の処理手順について説明した。
【０１００】  ＜５．ハードウェア構成＞  次に、図８を参照しながら、本開示の一実施形態に係る情報処理装置１０のハードウェア構成について説明する。図８は、本開示の一実施形態に係る情報処理装置１０のハードウェア構成を示す機能ブロック図である。
【０１０１】  情報処理装置１０は、主に、ＣＰＵ９０１と、ＲＯＭ９０３と、ＲＡＭ９０５と、を備える。また、情報処理装置１０は、更に、ホストバス９０７、ブリッジ９０９、外部バス９１１、インターフェース９１３、入力装置９１５、出力装置９１７、ストレージ装置９１９、ドライブ９２１、接続ポート９２３及び通信装置９２５を備える。
【０１０２】  ＣＰＵ９０１は、演算処理装置及び制御装置として機能し、ＲＯＭ９０３、ＲＡＭ９０５、ストレージ装置９１９又はリムーバブル記録媒体９２７に記録された各種プログラムに従って、情報処理装置１０内の動作全般又はその一部を制御する。ＣＰＵ９０１は、本実施形態では、例えば、図３に示す制御部１３０に対応するものであり、本実施形態に係る更新情報通知処理における各種の情報の処理を行う。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらＣＰＵ９０１、ＲＯＭ９０３及びＲＡＭ９０５は、ＣＰＵバス等の内部バスにより構成されるホストバス９０７により相互に接続されている。
【０１０３】  ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。また、外部バス９１１には、インターフェース９１３を介して、入力装置９１５、出力装置９１７、ストレージ装置９１９、ドライブ９２１、接続ポート９２３及び通信装置９２５が接続される。
【０１０４】  入力装置９１５は、例えば、マウス、キーボード、タッチパネル、ボタン、スイッチ及びレバー等、ユーザが操作する操作手段である。また、入力装置９１５は、例えば、赤外線やその他の電波を利用したリモートコントロール手段（いわゆる、リモコン）であってもよいし、情報処理装置１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路等から構成されている。情報処理装置１０のユーザは、この入力装置９１５を操作することにより、情報処理装置１０に対して各種のデータを入力したり処理動作を指示したりすることができる。入力装置９１５は、本実施形態では、例えば、図３に示す入力部１２０に対応するものであり、表示部１１０と一体的に構成され、タッチパネルを構成している。ユーザは入力部１２０を介した操作入力により、コンテンツ情報群の更新に関する指示や、表示画面に表示されているコンテンツ情報群の表示のスクロールに関する指示、コンテンツを再生、表示するためのアプリケーションの起動に関する指示等を入力することができる。
【０１０５】  出力装置９１７は、各種の情報をユーザに対して視覚的又は聴覚的に通知することが可能な装置によって構成される。このような装置として、ＣＲＴディスプレイ装置、液晶ディスプレイ装置、プラズマディスプレイ装置、ＥＬディスプレイ装置及びランプ等の表示装置や、スピーカ及びヘッドホン等の音声出力装置や、プリンタ装置、携帯電話装置等がある。出力装置９１７は、例えば、情報処理装置１０が行った各種の処理により得られた結果を出力する。具体的には、表示装置は、情報処理装置１０が行った各種の処理により得られた結果を、テキスト、グラフ、画像等様々な形式で表示画面に表示する。当該表示装置は、本実施形態では、例えば、図３に示す表示部１１０に対応するものであり、表示制御部１３５の制御によって、コンテンツ情報群の少なくとも一部及びインジケータを表示画面に表示する。一方、音声出力装置は、再生された音声データや音響データ等からなるオーディオ信号をアナログ信号に変換して出力する。
【０１０６】  また、図３には明示しないが、情報処理装置１０は、以下の各構成を備えてもよい。
【０１０７】  ストレージ装置９１９は、情報処理装置１０の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶デバイス、半導体記憶デバイス、光記憶デバイス又は光磁気記憶デバイス等により構成される。このストレージ装置９１９は、ＣＰＵ９０１が実行するプログラムや各種データ及び外部から取得した各種データ等を格納する。本実施形態においては、ストレージ装置９１９は、更新情報通知処理において処理される各種の情報、例えば、コンテンツ情報並びに生成されたコンテンツ情報群及びインジケータについての情報を記憶することができる。また、ストレージ装置９１９は、その内部のキャッシュメモリに新たに取得したコンテンツ情報を一時的に記憶し、コンテンツ情報取得部１３１からの要請に従って、所定のタイミング又は入力装置９１５を介したユーザによる所定の操作入力があったタイミングで、当該コンテンツ情報をコンテンツ情報取得部１３１に送信してもよい。
【０１０８】  ドライブ９２１は、記録媒体用リーダライタであり、情報処理装置１０に内蔵、あるいは外付けされる。ドライブ９２１は、装着されている磁気ディスク、光ディスク、光磁気ディスク又は半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク又は半導体メモリ等のリムーバブル記録媒体９２７に各種の情報を書き込むことも可能である。リムーバブル記録媒体９２７は、例えば、ＤＶＤメディア、ＨＤ−ＤＶＤメディア、Ｂｌｕ−ｒａｙ（登録商標）メディア等である。また、リムーバブル記録媒体９２７は、コンパクトフラッシュ（登録商標）（ＣｏｍｐａｃｔＦｌａｓｈ：ＣＦ）、フラッシュメモリ又はＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）又は電子機器等であってもよい。本実施形態においては、情報処理装置１０は、ドライブ９２１を介して、更新情報通知処理に関する各種の情報を、リムーバブル記録媒体９２７から読み出したり、リムーバブル記録媒体９２７に書き込んだりすることができる。例えば、コンテンツ情報取得部１３１は、ドライブ９２１を介して、リムーバブル記録媒体９２７からコンテンツ情報を取得してもよい。
【０１０９】  接続ポート９２３は、外部の他の機器を情報処理装置１０に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、情報処理装置１０は、外部接続機器９２９から直接各種の情報を取得したり、外部接続機器９２９に各種の情報を提供したりする。本実施形態においては、情報処理装置１０は、接続ポート９２３を介して、更新情報通知処理に関する各種の情報を、外部接続機器９２９から取得したり、外部接続機器９２９に出力したりすることができる。例えば、コンテンツ情報取得部１３１は、接続ポート９２３を介して、外部接続機器９２９からコンテンツ情報を取得してもよい。
【０１１０】  通信装置９２５は、例えば、通信網（ネットワーク）９３５に接続するための通信デバイス等で構成された通信インターフェースである。通信装置９２５は、例えば、有線若しくは無線ＬＡＮ（Ｌｏｃａｌ  Ａｒｅａ  Ｎｅｔｗｏｒｋ）、Ｂｌｕｅｔｏｏｔｈ（登録商標）、又はＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ又は各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続されるネットワーク９３５は、有線又は無線によって接続されたネットワーク等により構成され、例えば、インターネット、家庭内ＬＡＮ、赤外線通信、ラジオ波通信又は衛星通信等であってもよい。本実施形態においては、通信装置９２５は、更新情報通知処理において処理される各種の情報を、ネットワーク９３５を介して接続される他の機器との間で送受信することができる。また、通信装置９２５は、コンテンツ情報取得部１３１からの要請に従って、所定のタイミング又は入力装置９１５を介したユーザによる所定の操作入力があったタイミングで、新たなコンテンツ情報をネットワーク９３５を介して接続される他の機器から受信してもよい。
【０１１１】  また、図３及び図８には明示しないが、情報処理装置１０は以下の構成を更に備えてもよい。
【０１１２】  例えば、情報処理装置１０は、情報処理装置１０の周囲の環境についての情報を検出するセンサ装置を備えてもよい。当該センサ装置は、例えば情報処理装置１０の動きを検知するセンサや、現在位置を表す位置情報を取得するセンサ等の検出手段である。かかるセンサ装置の一例として、加速度センサ装置、重力検出センサ装置、落下検出センサ装置等を含む３軸加速度センサ装置、角速度センサ装置、手振れ補正センサ装置、地磁気センサ装置等を含む３軸ジャイロセンサ装置等のモーションセンサ装置や、ＧＰＳセンサ装置等を挙げることができる。また、当該センサ装置は、上述のもの以外にも、温度計、照度計、湿度計等の様々な公知の測定装置を備えていてもよい。
【０１１３】  また、例えば、情報処理装置１０は、撮影対象を動画や静止画の形式で撮影するカメラ等の撮像装置を備えてもよい。具体的には、当該撮像装置は、２次元上に配列された複数の受光素子を有し、当該受光素子における光電変換により、撮影対象の画像を表す画像信号を取得するとともに、当該画像信号に各種の信号処理を施すことにより撮像対象の写真や動画を生成することができる。
【０１１４】  また、情報処理装置１０は、情報処理装置１０が備える上記の各構成に電力を供給する電源装置（バッテリ装置）を備えてもよい。当該電源装置には、例えばリチウムイオン二次電池等の各種の二次電池が適用される。
【０１１５】  以上、図８を参照して、本開示の一実施形態に係る情報処理装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１１６】  なお、上述のような本実施形態に係る情報処理装置１０の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【０１１７】  ＜６．まとめ＞  以上説明したように、本実施形態によれば、以下の効果を得ることができる。
【０１１８】  本実施形態によれば、コンテンツ情報群生成部１３２によって表示画面上の所定の領域に表示されたコンテンツ情報が所定の配列順に複数連ねられたコンテンツ情報群が生成され、表示制御部１３５によって当該コンテンツ情報群の一部が当該配列順に従って表示画面上に表示される。また、更新検出部１３３によってコンテンツ情報群のうち更新されたコンテンツ情報が検出され、インジケータ生成部１３４によってコンテンツ情報群の中で更新されたコンテンツ情報に対応する部分である更新部分のコンテンツ情報群全体に対する位置関係を少なくとも示すインジケータが生成される。更に、表示制御部１３５によってコンテンツ情報群の一部とともに当該インジケータが表示画面に表示される。従って、ユーザは、当該インジケータを参照することにより、コンテンツ情報群全体に対する更新部分の位置を素早く把握することができ、当該更新部分により素早くアクセスすることが可能となる。よって、ユーザの利便性がより向上される。
【０１１９】  また、本実施形態においては、更新部分のうち表示画面に表示された部分は、ユーザによって既に参照された既読部分であるとみなされてよい。そして、コンテンツ情報群において更新部分が既読部分に変更されることに応じて、インジケータにおける既読標示領域及び更新部分標示領域の表示が随時変更されてもよい。このように、更新部分の変化に応じてインジケータの表示がリアルタイムで変化することにより、ユーザはインジケータの表示から、コンテンツ情報群内での未読のコンテンツ情報の位置情報を随時取得することができる。よって、ユーザの利便性が更に向上される。
【０１２０】  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２１】  例えば、上記実施形態では、コンテンツ情報群が表示画面上に列状（リスト状）に表示され、インジケータがいわゆるスクロールインジケータである場合について説明したが、本実施形態はかかる例に限定されない。本実施形態に係るコンテンツ情報群は、コンテンツ情報が所定の配列順に従って並べられて構成されればよく、その表示画面への表示方法としてはあらゆる方法が適用されてよい。また、本実施形態に係るインジケータは、コンテンツ情報群の表示画面への表示に応じてあらゆる形態を取り得る。例えば、コンテンツ情報群は本のような形態で表示画面に表示され、コンテンツ情報は当該本のページに対応する部分に表示されてもよい。そして、ユーザが本を開く方向に表示画面上で操作体を動かすことにより、本のページがめくられるアニメーションとともにコンテンツ情報の表示が切り換えられてもよい。また、コンテンツ情報群が本のような形態で表示画面に表示される場合、インジケータは、表示画面上で当該本が開かれる方向に延伸する直線形状を有し、当該直線の長さが当該本の総ページ数に対応するように表示されてもよい。インジケータがこのような直線形状を有する場合、当該直線上の更新部分に対応する領域は、例えば色や形状等の表示が他の領域とは異なるように表示され得る。また、インジケータを示す直線上の現在開かれているページ（すなわち、表示部分）に対応する位置には、当該表示部分を示す目印となる表示が表示画面上に表示されてもよい。例えば、ユーザが、当該目印となる表示を直線状でスライドさせるように操作することにより、当該スライド操作に応じてコンテンツ情報群を示す本のページがめくられるように、表示画面上に表示されるコンテンツ情報が変化してもよい。
【０１２２】  なお、以下のような構成も本開示の技術的範囲に属する。（１）表示画面上の所定の領域に表示されたコンテンツ情報が所定の配列順に複数連ねられたコンテンツ情報群を生成するコンテンツ情報群生成部と、前記コンテンツ情報群を構成する前記コンテンツ情報のうち、更新された前記コンテンツ情報を検出する更新検出部と、前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させる表示制御部と、を備える、情報処理装置。（２）前記更新検出部は、前記コンテンツ情報群生成部によって前記コンテンツ情報群に新たに追加された前記コンテンツ情報を、更新された前記コンテンツ情報として検出する、前記（１）に記載の情報処理装置。（３）前記更新検出部は、前記コンテンツ情報群を構成する前記コンテンツ情報の中で、前記表示制御部によって前記表示画面上に表示されていない前記コンテンツ情報を、更新された前記コンテンツ情報として検出する、前記（１）又は（２）に記載の情報処理装置。（４）前記インジケータは、前記コンテンツ情報群の中で前記表示画面上に表示された前記コンテンツ情報に対応する部分である表示部分の前記コンテンツ情報群全体に対する位置関係を示す表示部分標示領域と、前記更新部分の前記コンテンツ情報群全体に対する位置関係を示す更新部分標示領域と、前記コンテンツ情報群の中で前記表示部分及び前記更新部分に含まれない前記コンテンツ情報に対応する部分である既読部分の前記コンテンツ情報群全体に対する位置関係を示す既読部分標示領域と、が互いに異なる表示を有する、前記（１）〜（３）のいずれか１項に記載の情報処理装置。（５）前記コンテンツ情報群の一部は、前記表示画面上における第１の方向に沿って前記配列順に従って表示され、前記インジケータは、前記表示画面上において前記第１の方向に延伸する直線形状を有する、前記（４）に記載の情報処理装置。（６）前記インジケータは、前記表示部分標示領域と、前記更新部分標示領域と、前記既読部分標示領域と、が互いに異なる色を有する、前記（５）に記載の情報処理装置。（７）前記インジケータは、前記表示部分標示領域と、前記更新部分標示領域と、前記既読部分標示領域と、が互いに異なる形状を有する、前記（５）又は（６）に記載の情報処理装置。（８）前記インジケータの前記表示画面上での表示において、前記表示部分標示領域は、前記コンテンツ情報群を構成する前記コンテンツ情報の総数に対する前記表示部分を構成する前記コンテンツ情報の数の割合を反映した大きさを有し、前記更新部分標示領域は、前記コンテンツ情報群を構成する前記コンテンツ情報の総数に対する前記更新部分を構成する前記コンテンツ情報の数の割合を反映した大きさを有し、前記既読部分標示領域は、前記コンテンツ情報群を構成する前記コンテンツ情報の総数に対する前記既読部分を構成する前記コンテンツ情報の数の割合を反映した大きさを有する、前記（５）〜（７）のいずれか１項に記載の情報処理装置。（９���前記コンテンツ情報を取得するコンテンツ情報取得部、を更に備え、前記コンテンツ情報群生成部は、前記コンテンツ情報取得部によって取得されたコンテンツ情報に基づいて前記コンテンツ情報群を生成する、前記（１）〜（８）のいずれか１項に記載の情報処理装置。（１０）前記コンテンツ情報群生成部は、前記コンテンツ情報取得部によって新たに取得されたコンテンツ情報を、既に生成された前記コンテンツ情報群に追加することにより、前記コンテンツ情報群を更新する、前記（９）に記載の情報処理装置。（１１）前記コンテンツ情報群生成部は、前記コンテンツ情報取得部によって新たに取得されたコンテンツ情報によって、前記コンテンツ情報群を構成するコンテンツ情報の数を増加させることにより、前記コンテンツ情報群を更新する、前記（１０）に記載の情報処理装置。（１２）前記コンテンツ情報群生成部は、前記コンテンツ情報取得部によって新たに取得されたコンテンツ情報によって、既に生成された前記コンテンツ情報群を構成する前記コンテンツ情報の内容を変更することにより、前記コンテンツ情報群を更新する、前記（１０）に記載の情報処理装置。（１３）前記コンテンツ情報群における前記配列順は、前記コンテンツ情報取得部によって前記コンテンツ情報が取得された順に対応する順である、前記（９）〜（１２）のいずれか１項に記載の情報処理装置。（１４）前記コンテンツ情報取得部は、所定のタイミングで自動的に前記コンテンツ情報を取得する、前記（９）〜（１３）のいずれか１項に記載の情報処理装置。（１５）前記コンテンツ情報取得部は、ユーザによる所定の操作入力に応じたタイミングで前記コンテンツ情報を取得する、前記（９）〜（１４）のいずれか１項に記載の情報処理装置。（１６）前記コンテンツ情報群は前記表示画面上に、前記配列順に従って列状に配列されて表示される、前記（１）〜（１５）のいずれか１項に記載の情報処理装置。（１７）表示画面上の所定の領域に表示されたコンテンツ情報が所定の配列順に複数連ねられたコンテンツ情報群を生成することと、前記コンテンツ情報群を構成する前記コンテンツ情報のうち、更新された前記コンテンツ情報を検出することと、前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させることと、を含む、更新情報通知方法。（１８）コンピュータに、表示画面上の所定の領域に表示されたコンテンツ情報が所定の配列順に複数連ねられたコンテンツ情報群を生成する機能と、前記コンテンツ情報群を構成する前記コンテンツ情報のうち、更新された前記コンテンツ情報を検出する機能と、前記コンテンツ情報群の少なくとも一部を前記配列順に従って前記表示画面上に表示させるとともに、前記コンテンツ情報群の中で更新された前記コンテンツ情報に対応する部分である更新部分の前記コンテンツ情報群全体に対する位置関係を少なくとも示すインジケータを前記表示画面上に表示させる機能と、を実現させるためのプログラム。
【符号の説明】
【０１２３】  １０    情報処理装置  １１０    表示部  １２０    入力部  １３０    制御部  １３１    コンテンツ情報取得部  １３２    コンテンツ情報群生成部  １３３    更新検出部  １３４    インジケータ生成部  １３５    表示制御部
【図１】
2014192496.tif 000003
【図２】
2014192496.tif 000004
【図３】
2014192496.tif 000005
【図４】
2014192496.tif 000006
【図５】
2014192496.tif 000007
【図６】
2014192496.tif 000008
【図７】
2014192496.tif 000009
【図８】
2014192496.tif 000010
【国際調査報告】
2014192496.tif 000011
2014192496.tif 000012
2014192496.tif 000013
2014192496.tif 000014